(57)【要約】  容易に使用者への視認性を高めつつ、デザイン性や利便性の向上を図ることが可能な操作装置等を提供する。  発光体２０と、機器を操作するための操作子３０と、を備え、前記操作子３０は、前記発光体２０から発光される光を透過する透過部３４を有し、当該透過部３４には前記光を拡散させる拡散部３５が形成されている。
2017090084.tif 000002
【特許請求の範囲】
【請求項１】
機器を操作するための操作子であって、
光を透過する透過部を有し、前記透過部には前記光を拡散させる拡散部が形成されていることを特徴とする操作子。
【請求項２】
発光体と、
機器を操作するための操作子と、を備え、
前記操作子は、前記発光体から発光される光を透過する透過部を有し、当該透過部には前記光を拡散させる拡散部が形成されていることを特徴とする操作装置。
【請求項３】
前記透過部は、前記光が入射する第１の面と、前記第１の面に入射した光を外部に放出する第２の面と、を有し、
前記拡散部は、前記第２の面に形成されることを特徴とする請求項１に記載の操作子。
【請求項４】
前記透過部は、前記光が入射する第１の面と、前記第１の面に入射した光を外部に放出する第２の面と、を有し、
前記第１の面及び第２の面の各々は、凹凸で形成された前記拡散部を有し、
前記第１の面が有する前記拡散部は、前記第２の面が有する前記拡散部と形状が異なることを特徴とする請求項１に記載の操作子。
【請求項５】
前記透過部は、前記光が入射する第１の面と、前記第１の面と反対側の前記第１の面に入射した光を外部に放出する第２の面と、を有し、
前記第１の面及び第２の面の各々は、凹凸で形成された前記拡散部を有し、
前記第１の面が有する前記拡散部の凹凸の配置は、前記第２の面が有する前記拡散部の凹凸の配置と異なることを特徴とする請求項１に記載の操作子。
【請求項６】
前記凹凸は、前記第１の面及び第２の面の全体に形成されていることを特徴とする請求項４、又は５に記載の操作子。
【請求項７】
前記操作子は、回転可能な回転体に支持され、前記回転体と一体的に動作することを特徴とする請求項１、３、４、５、６のいずれか一項に記載の操作子。
【請求項８】
前記回転体は、ロータリーエンコーダであることを特徴とする請求項７に記載の操作子。
【請求項９】
前記操作子は、発光体と対向する基体と、前記基体の周面から前記発光体側に起立する側体と、を備え、
前記基体は、非透過性を有することを特徴とする請求項１、３、４、５、６、７、８のいずれか一項に記載の操作子。
【請求項１０】
前記第２の面にハーフミラーを形成することを特徴とする請求項３〜６のいずれか一項に記載の操作子。
【発明の詳細な説明】
【技術分野】
【０００１】
本願は、機器を操作するための操作装置に関し、より詳細には回転操作を行う操作子を備えた操作装置等に関する。
【背景技術】
【０００２】
この種の操作装置は、例えば、オーディオ機器やナビゲーション装置等の電子機器に取り付けられている。また、従来の操作装置として、例えば、ロータリエンコーダと回転可能に結合された操作子を備えたものが知られている（非特許文献１参照）。【０００３】
非特許文献１に示す操作装置１００は、図７に示すように、側壁１０２が透過部材で形成され、ロータリーエンコーダ１０３の軸１０４と結合された操作子１０５と、操作子１０５側に向けて光を発光する発光体１０１と、を備え、発光体１０１の光を、図中矢印に示すように、側壁１０２を透過させることで、操作子１０５の側壁１０２を光らせて使用者からの視認性を向上させるとともに、デザイン性を向上させている。【０００４】
また、他の操作装置１１０の一例として、図８に示すように、非透過部材で形成され、ロータリーエンコーダ１０３の軸１０４と結合された操作子１１１と、電子機器の内部に外部に向けて光を発光する発光体１１３と、を備え、発光体１１３の光を、図中矢印に示すように、操作子１１１と筐体１１４との隙間ｔ（操作子１１１の周囲）から漏洩させることで、操作子１１１の周囲を光らせて使用者からの視認性を向上させるとともに、デザイン性を向上させてたものが存在する。
【先行技術文献】
【特許文献】
【０００５】
【非特許文献１】パイオニア株式会社のホームページ  楽ナビ  AVIC-MRZ099W（ＵＲＬ：http://pioneer.jp/carrozzeria/carnavi/rakunavi/avic-mrz099w_avic-mrz099/）
【発明の開示】
【発明が解決しようとする課題】
【０００６】
しかしながら、この種の操作装置において、視認性を向上させるには光の強度を高める必要があり、電力消費量が高まるという問題がある。【０００７】
また、他社との優位性を高めるため、デザイン性や利便性の向上が求められている。【０００８】
本願が解決しようとする課題には、上記した問題が一例として挙げられる。【０００９】
そこで、本願は、上記の問題点に鑑みて為されたもので、容易に使用者への視認性を高めつつ、デザイン性や利便性の向上を図ることが可能な操作装置等を提供することを目的の一例とする。
【課題を解決するための手段】
【００１０】
上記課題を解決するために、請求項１に記載の操作子（３０）は、機器を操作するための操作子であって、光を透過する透過部（３４）を有し、前記透過部には前記光を拡散させる拡散部（３５）が形成されていることを特徴とする。【００１１】
また、上記課題を解決するために、請求項２に記載の操作装置（１０）は、発光体（２０）と、機器を操作するための操作子（３０）と、を備え、前記操作子は、前記発光体から発光される光を透過する透過部（３４）を有し、当該透過部には前記光を拡散させる拡散部（３５）が形成されていることを特徴とする。
【図面の簡単な説明】
【００１２】
【図１】実施例１に係る操作装置の構成を示す模式図である。
【図２】実施例１に係る操作子の構成を示す模式図である。
【図３】実施例１に係る操作子の外観を示す模式図である。
【図４】実施例２に係る操作子の構成例を示す模式図である。
【図５】実施例２に係る操作子の拡散部の他の実施形態を示し、図５（ａ）は第１実施例、図５（ｂ）は第２実施例を示す模式図である。
【図６】実施例３に係る操作装置の他の構成を示す模式図である。
【図７】従来の操作装置の一例を示す模式図である。
【図８】従来の他の操作装置の一例を示す模式図である。
【発明を実施するための形態】
【００１３】
次に、本願を実施するための形態について、図１を用いて説明する。
【００１４】
図１に示すように、操作装置１０は、発光体２０と、機器を操作するための操作子３０と、を備え、前記操作子３０は、前記発光体２０から発光される光を透過する透過部３４を有し、当該透過部３４には前記光を拡散させる拡散部３５が形成されている。
【００１５】
本実施形態に係る操作装置１０によれば、拡散部３５によって、透過部３４を透過して外部に放出される光の輝度が高められるため、電力の消費量を上げることなく、使用者による視認性を容易に高めることができる。特に、操作子３０を車載用の電子機器の操作用のつまみとして用いた場合、夜の暗い車内において、操作子３０を見つけやすくなるため、容易にユーザの利便性を高めることができる。
【実施例１】
【００１６】
次に、上述した実施形態に対応する具体的な実施例について、図１乃至図６を用いて説明する。なお、以下に説明する各実施例は、本願の操作装置１０を、ナビゲーション装置や車載用オーディオ機器等の電子機器１に使用される音量調整用のボリューム等などの電子部品であるロータリーエンコーダに、操作用のつまみである操作子３０を装着した場合の実施例である。また、操作装置１０は、電子機器１に操作装置１０を適用した場合について説明するが、本実施形態のような電子機器１に限定されるものではなく、操作用のつまみが必要な様々な機器類に適用することが可能である。【００１７】
電子機器１は、図示しないケース本体を有し、このケース本体は、例えば、映像等の情報を表示する表示パネル２と、当該表示パネル２の外周及び背面を覆う筐体（図示なし）と、を備えている。なお、表示パネル２とは、使用者と対向して配置されたパネルであって、ケース本体の前面に取り付けられるパネルをいう。【００１８】
図１に示すように、この表示パネル２は、その一部に開口５を有し、この開口５には操作装置１０が設けられる。操作装置１０は、ケース本体の内部に配置されている発光装置２０と、ケース本体の外側に配置されている電子機器を操作するための操作子３０と、を備えている。【００１９】
また、ケース本体の内部には、ロータリーエンコーダ４０が配置されており、ロータリーエンコーダ４０は、例えば、可変抵抗器等を含む基板を備えた本体４１と、この本体４１に起立して設けられる回転体４５と、を備えている。ロータリーエンコーダ４０は、回転体４５の回動を検出し、電気抵抗値を制御することによって、例えば、音量を大きくまたは小さく制御する。【００２０】
回転体４５は、合成樹脂等によって形成された円柱状の軸であり、前記表示パネル２の開口５からケース本体の外側にその一部が突出するように配置される。【００２１】
発光装置２０は、ＬＥＤ等の発光体２１と、発光体２１から発光される光をガイドする導光板２３と、を備えている。【００２２】
導光板２３は、回転体４５の周囲を覆うようにして配置されるとともに、その一端が開口５からケース本体の外側に突出して配置される。導光板２３の他端側には発光体２１が配置され、この発光体２１から発光される光が導光板２３の一端側から放出される。【００２３】
なお、発光体２１と導光板２３は接触していてもよいし、両者間に隙間を有していてもよい。また、導光板２３の一端は、開口５からケース本体の外部に露出していいる必要はない。また、導光板２３を用いずに直接発光体２１を開口５の近くに配置しても構わない。すなわち、発光装置２０は、操作子３０に向けて光を発光可能に配置されていれば良く、その形態は限定されるものではない。【００２４】
操作子３０は、回転体４５と同一の中心軸線を有し、一体的に回転動作するように回転体４５に取り付けられて支持され、表示パネル２の表面から使用者側に突出して設けられている。【００２５】
図１及び図２に示すように、操作子３０は、例えば、合製樹脂等によって、一端が閉塞された外側筒部３１とその外側筒部の内側に円筒状の内側筒部３３を有する２重の中空円筒状に形成されている。【００２６】
内側筒部３３は、回転体４５に取り付けられる軸受として機能し、その内径は、回転体４５の外径と同等、若しくは外径よりもわずかに小さな寸法に設定される。【００２７】
外側筒部３１は、発光体２０側と対向して配置される円形状の基体３１ａと、この基体３１ａの周面から前記発光体２０側に起立する側壁体３１ｂと、を備え、例えば、基体３１ａは黒色の樹脂により非透過性を有して形成される。このように基体３１ａを非透過性とすることで、内部の構造が外部から見えることを防止することができるので、容易に操作子３０のデザイン性を高められる。【００２８】
なお、基体３１ａは黒色の樹脂の代わりに、基体３１ａの表面にハーフミラーを形成してもよい。また、この基体３１ａは、必ずしも非透過性を有していなくてもよく、内部の構造が外部から視認できても構わない場合には、透過性の部材を用いても構わない。【００２９】
また、外側筒部３１は、光を透過可能な透過部３４を有し、この透過部３４には、光を拡散させる拡散部３５が形成されている。【００３０】
透過部３４は、側壁体３１ｂに形成され、例えば、側壁体３１ｂの全面に透明な部材を用いることで形成される。この側壁体３１ｂは、円筒状に形成された部材であって、発光体２０から発光される光が入射する裏面３３ａと、裏面の反対側に有し、透過した光を外部に放出する表面３３ｂと、を有し、拡散部３５は、その表面３３ｂに設けられる。【００３１】
また、導光板２３の一端は、外側筒部３１と内側筒部３３の間に形成された空間内に配置され、図１中の矢印に示すように、発光体２０から導光板２３を介して発光される光は、側壁体３１ｂの裏面３３ａから入射し、透過部３４及び拡散部３５を介して外部へと放出される。【００３２】
拡散部３５は、光の屈折や反射等を利用して透過部３４を透過する光を拡散させ、外部に放出することで光の輝度を高めるものであって、例えば、図３に示すように、略三角錐等の複数の凹凸５０、５０、・・・、５０によって形成され、表面３３ｂの全体に形成されている。【００３３】
また、透過部３４は、必ずしも側壁体３１ｂの全面に形成されている必要はなく、透過部３４が側壁体３１ｂの一部に形成されている場合には、凹凸５０は、透過部３４が形成されている部分のみであっても構わない。【００３４】
なお、本実施例では、側壁体３１ｂに直接凹凸５０を形成することで拡散部３５を形成しているが、シート状の部材を貼り付けたり、２枚のガラスのそれぞれ内側に凹凸部を形成して貼り合わせ内部に拡散部を形成しても構わない。すなわち、拡散部３５の形成手法は、本実施例の手法に限定されるものではなく、様々な形成手法が用いられる。【００３５】
また、側壁体３１ｂの表面３３ｂには、一般的にマジックミラーと称されるハーフミラーが形成される。このハーフミラーによって、外部から内部を見えにくくするとともに、高級感を演出することができ、容易にデザイン性を向上させることができる。【００３６】
また、本実施例の操作子３０は、例えば、二色成形による射出成型により形成される。具体的には、まず、一次側の成形体としての基体３１ａと内側筒部３３を射出成型により黒色で成形した後、同一金型内で二次側の成形体としての側壁体３１ｂを一次側の成形体と一体で成形して形成される。このようにすれば、一次側の成形体と二次側の成形体とを別々に形成し接合するよりも製造コストや製造工程の低減化を容易に図ることができる。【００３７】
以上に説明したように、本実施例の操作装置１０は、発光体２０と、機器を操作するための操作子３０と、を備え、前記操作子３０は、前記発光体２０から発光される光を透過する透過部３４を有し、当該透過部３４には前記光を拡散させる拡散部３５が形成されている。【００３８】
したがって、この操作装置１０は、拡散部３５によって、透過部３４を透過して外部に放出される光の輝度が高められるため、電力の消費量を上げることなく、使用者による視認性を容易に高めることができる。特に、操作子３０を車載用の電子機器の操作用のつまみとして用いた場合、夜の暗い車内において、操作子３０を見つけやすくなるため、容易にユーザの利便性を高めることができる。また、側壁体３１ｂの表面に凹凸を設けることで、この凹凸が滑り止めの役割を果たすため、容易にユーザの利便性を高めることができる。【００３９】
また、操作子２０の天面（基体３１ａ）は非透過性を有し、操作子２０の側面をハーフミラーとすることで、発光体２０を発光させない状態において、金属調の操作子３０に見えるため、高級感を演出することが可能となり、容易にデザイン性を高められる。
【実施例２】
【００４０】
次に、図４及び図５を用いて本願の実施例２について説明する。なお、図４において、図２と共通する部分には同一符号を付し、それらの説明は省略する。【００４１】
実施例２に係る操作装置は、操作子３０Ａの拡散部３５の配置例が異なる一例であって、実施例１の操作装置１０の操作子３０は、拡散部３５が外側筒部３１の表面３３ｂにのみ形成されているのに対して、実施例２の操作装置の操作子３０Ａは、拡散部３５が外側筒部３１の表面３３ｂと裏面３３ａにそれぞれ形成されている点で異なる。【００４２】
図４に示すように、操作子３０Ａの拡散部３５は、外側筒部３１の表面３３ｂと裏面３３ａにそれぞれ形成されている。また、外側筒部３１の表面３３ｂと裏面３３ａに形成される拡散部３５の凹凸は、例えば、線対称に設けられている。【００４３】
また、凹凸の形状や凹凸の配置は適宜設計されるものであって、例えば、図５（ａ）に示すように、外側筒部３１の表面３３ｂと裏面３３ａに形成される拡散部３５の凹凸は、例えば、点対称に設けても構わない。【００４４】
また、上述したように本実施例における拡散部３５の凹凸の形状は同じであるが、例えば、図５（ｂ）に示すように、外側筒部３１の表面３３ｂには連続した三角形状の凹凸３６を設け、裏面３３ａには表面３３ｂの凹凸３６とは形状が異なる矩形状の凹凸３７を設けても構わない。【００４５】
さらに、図示しないが、外側筒部３１の表面３３ｂに矩形状の凹凸を設け、表面３３ｂの凹部に凸部が対応するように裏面３３ａに矩形状の凹凸を千鳥状に設けても構わない。【００４６】
このように拡散部３５の凹凸の形状や凹凸の配置は適宜設計されるものであって特に限定されるものではない。【００４７】
なお、拡散部３５の凹凸の形状や凹凸の配置の設計にあたっては、設計上アンダーカットとなる形状にならないように、拡散部３５の凹凸の形状や凹凸の配置を設計することが望ましい。【００４８】
このように、外側筒部３１の表面３３ｂと裏面３３ａに拡散部３５を形成することで、光の屈折や反射を多く発生させて光を拡散させることで容易に光の強度がより高められるため、電力の消費量を上げることなく、使用者による視認性を容易に高めることができる。
【実施例３】
【００４９】
次に、図６を用いて本願の実施例３について説明する。なお、図６において、図１と共通する部分には同一符号を付し、それらの説明は省略する。【００５０】
実施例３に係る操作装置１０Ａは、操作子３０の形状が異なる一例であって、実施例１の操作装置１０の操作子３０は、２重の中空円筒状に形成されているのに対して、実施例３の操作装置１０Ａの操作子３０Ｂは、円柱状に形成されている点で異なる。【００５１】
図６に示すように、操作子１０Ａは、例えば、合製樹脂等によって、円柱状に形成した本体５５を備え、この本体５５には中心に回転体４５を挿入する孔部６０が形成されている。また、本体５５の天面には、黒色の樹脂で形成された非透過性を有する遮蔽体５８が設けられている。【００５２】
本体５５は全体が光を透過可能な透過部３４を有し、本体５５の側面５５ａと底面５５ｂには光を拡散させる拡散部３５が形成されている。【００５３】
なお、本実施例では、本体５５との接触を避けるため、導光板２３の一端は、表示パネル２の開口５付近に配置される。【００５４】
このように構成された操作子３０Ｂは、発光体２０から発光される光が入射する入射面が本体５５の底面５５ｂに形成され、透過部３４を透過した光を外部に放出する放出面が本体５５の側面５５ａに形成される。したがって、発光体２０から導光板２３を介して発光される光は、本体５５の拡散部３５を含む底面５５ｂから入射し、透過部３４を介して他の拡散部３５を含む側面５５ａから外部へと放出される。【００５５】
したがって、発光体２０から発光される光が拡散部３５によって拡散され、外部に放出されるので光の輝度が高められるため、電力の消費量を上げることなく、使用者による視認性を容易に高めることができる。【００５６】
なお、本実施例は一形態であって、この形態に限定されるものではなく、例えば、操作子３０はプッシュ型のスイッチに取り付けられても構わない。
【符号の説明】
【００５７】
１０  操作装置
２０  発光体
３０  操作子
３４  透過部
３５  拡散部
４５  回転体
【図１】
2017090084.tif 000003
【図２】
2017090084.tif 000004
【図３】
2017090084.tif 000005
【図４】
2017090084.tif 000006
【図５】
2017090084.tif 000007
【図６】
2017090084.tif 000008
【図７】
2017090084.tif 000009
【図８】
2017090084.tif 000010
【手続補正書】
【提出日】平成30年5月17日(2018.5.17)
【手続補正１】
【補正対象書類名】特許請求の範囲
【補正対象項目名】全文
【補正方法】変更
【補正の内容】
【特許請求の範囲】
【請求項１】
機器を操作するための操作子であって、
光を透過する透過部を有し、前記透過部には前記光を拡散させる拡散部が形成されていることを特徴とする操作子。
【請求項２】
発光体と、
機器を操作するための操作子と、を備え、
前記操作子は、前記発光体から発光される光を透過する透過部を有し、当該透過部には前記光を拡散させる拡散部が形成されていることを特徴とする操作装置。
【請求項３】
前記透過部は、前記光が入射する第１の面と、前記第１の面に入射した光を外部に放出する第２の面と、を有し、
前記拡散部は、前記第２の面に形成されることを特徴とする請求項１に記載の操作子。
【請求項４】
前記第２の面は、操作者が操作の際に接触する面であることを特徴とする請求項３に記載の操作子。
【請求項５】
前記透過部は、前記光が入射する第１の面と、前記第１の面に入射した光を外部に放出する第２の面と、を有し、
前記第１の面及び第２の面の各々は、凹凸で形成された前記拡散部を有し、
前記第１の面が有する前記拡散部は、前記第２の面が有する前記拡散部と形状が異なることを特徴とする請求項１に記載の操作子。
【請求項６】
前記透過部は、前記光が入射する第１の面と、前記第１の面と反対側の前記第１の面に入射した光を外部に放出する第２の面と、を有し、
前記第１の面及び第２の面の各々は、凹凸で形成された前記拡散部を有し、
前記第１の面が有する前記拡散部の凹凸の配置は、前記第２の面が有する前記拡散部の凹凸の配置と異なることを特徴とする請求項１に記載の操作子。
【請求項７】
前記凹凸は、前記第１の面及び第２の面の全体に形成されていることを特徴とする請求項５、又は６に記載の操作子。
【請求項８】
前記操作子は、回転可能な回転体に支持され、前記回転体と一体的に動作することを特徴とする請求項１、３、４、５、６、７のいずれか一項に記載の操作子。
【請求項９】
前記第２の面は、回転体の回転軸に平行な円筒面であることを特徴とする請求項８に記載の操作子。
【請求項１０】
前記回転体は、ロータリーエンコーダであることを特徴とする請求項８または９に記載の操作子。
【請求項１１】
前記操作子は、発光体と対向する基体と、前記基体の周面から前記発光体側に起立する側体と、を備え、
前記基体は、非透過性を有することを特徴とする請求項１、３、４、５、６、７、８、９、１０のいずれか一項に記載の操作子。
【請求項１２】
前記第２の面にハーフミラーを形成することを特徴とする請求項３〜７のいずれか一項に記載の操作子。
【請求項１３】
前記操作子は、
円柱状に形成され、
前記第１の面は前記円柱の底面に、前記第２の面は前記円柱の側面に形成され、
前記拡散部は、
前記第１の面と前記第２の面に形成されることを特徴とする請求項３に記載の操作子。
【国際調査報告】
2017090084.tif 000011
2017090084.tif 000012
2017090084.tif 000013
2017090084.tif 000014